(57)【要約】【課題】  剥離ライナーに形成した縦スリット線におけるスリット単体間の未カット部を容易に切断でき、かつ、ラベルシートの印刷に支障を来すおそれのないラベルシートを得る。【解決手段】  ラベル形成用シート１と剥離ライナー２とからなるラベルシートであり、剥離ライナー２に形成されている縦スリット線１０−１〜１０−７は、主直線カット部１４ａと、主直線カット部１４ａの一端側を先端部とし他端側を後端部としたとき主直線カット部１４ａの後端部から所定の角度をなして後方に延びる１本の傾斜線カット部１４ｂと、主直線カット部１４ａの後端部から傾斜線カット部１４ｂの端部を越えない範囲で主直線カット部１４ａと一直線状に後方に延びる従直線カット部１４ｃとからなるスリット単体１４を分離経路線上に、主直線カット部１４ａを分離経路線と一致させ且つその先端部側を分離進行方向に向けて、所定間隔の未カット部を残し連続して配置して構成した。【選択図】    図２
2018105901.tif 000002
【特許請求の範囲】
【請求項１】
ラベル形成用シートと、ラベル形成用シートの裏面に接着されている剥離ライナーとからなるラベルシートであって、
前記ラベル形成用シートは、複数列のラベル縦列をそれぞれ分離する複数の縦列分離用スリット線と、前記ラベル縦列をラベル単片に分離するラベル単分離用スリット線が形成されており、前記剥離ライナーは、左右いずれか一側の前記ラベル縦列をラベル第１縦列としたとき、前記ラベル第１縦列におけるラベル第２縦列寄りの領域に掛かり、前記剥離ライナーを前記ラベル形成用シートのラベル縦列毎に分離する縦スリット線が形成されており、
前記剥離ライナーに形成されている前記縦スリット線は、主直線カット部と、前記主直線カット部の一端側を先端部とし他端側を後端部としたとき前記主直線カット部の後端部から所定の角度をなして後方に延びる１本の傾斜線カット部と、前記主直線カット部の後端部から前記傾斜線カット部の端部を越えない範囲で前記主直線カット部と一直線状に後方に延びる従直線カット部とからなるスリット単体を分離経路線上に、前記主直線カット部を分離経路線と一致させ且つその先端部側を分離進行方向に向けて、所定間隔の未カット部を残し連続して配置して構成されていることを特徴とするラベルシート。
【請求項２】
ラベル形成用シートと、ラベル形成用シートの裏面に接着されている剥離ライナーとからなるラベルシートであって、
前記ラベル形成用シートは、周囲に枠部を形成する枠部分離用スリット線と、前記枠部の内側に複数列のラベル縦列をそれぞれ分離する複数の縦列分離用スリット線と、前記ラベル縦列をラベル単片に分離するラベル単片分離用スリット線が形成されており、
前記剥離ライナーは、左右いずれか一側の前記ラベル縦列をラベル第１縦列としたとき、前記ラベル第１縦列におけるラベル第２縦列寄りの領域に掛かり、且つ前記剥離ライナーの上辺と下辺に繋がり、前記上辺側を切り口始部とする第１縦スリット線と、
前記第１縦スリット線と、前記ラベル第１縦列とラベル第２縦列とを分離する第１縦列分離用スリット線との間の領域に掛かり、且つ剥離ライナーの上辺側に未分離部を残し下辺に繋がる第２縦スリット線と、
前記ラベル第２縦列におけるラベル第ｎ縦列寄りの領域に掛かり、且つ剥離ライナーの上辺側に未分離部を残し下辺に繋がる第３縦スリット線と、
前記第３縦スリット線と、前記ラベル第２縦列とラベル第ｎ縦列とを分離する第ｎ縦列分離用スリット線との間の領域に掛かり、且つ剥離ライナーの上辺側に未分離部を残し下辺に繋がる第４縦スリット線と、
前記ラベル第ｎ縦列における前記枠部の側辺側枠部寄りの領域に掛かり、且つ剥離ライナーの上辺側に未分離部を残し下辺に繋がる第ｎ縦スリット線と、
前記第２縦スリット線と前記第３縦スリット線の上端を、前記第４縦スリット線と前記第ｎ縦スリット線の上端をそれぞれ接続する横スリット線と、が形成されており、
前記ラベル形成用シートには更に、上辺と上辺側枠部分離用スリット線に繋がり上辺側枠部を分離する上辺側枠部縦分離用スリット線が前記剥離ライナーの前記第１縦スリット線の前記切り口始部と重なるように形成され、下辺と下側側枠部分離用スリット線に繋がり下辺側枠部を複数列のラベル縦列毎に分離する下辺側枠部縦分離用スリット線が形成されており、
前記剥離ライナーに形成されている前記第１縦スリット線、前記第２縦スリット線、前記第３縦スリット線、前記第４縦スリット線及び前記第ｎ縦スリット線は、主直線カット部と、前記主直線カット部の一端側を先端部とし他端側を後端部としたとき前記主直線カット部の後端部から所定の角度をなして後方に延びる１本の傾斜線カット部と、前記主直線カット部の後端部から前記傾斜線カット部の端部を越えない範囲で前記主直線カット部と一直線状に後方に延びる従直線カット部とからなるスリット単体を分離経路線上に、前記主直線カット部を分離経路線と一致させ且つその先端部側を分離進行方向に向けて、所定間隔の未カット部を残し連続して配置して構成されていることを特徴とするラベルシート。
【請求項３】
前記スリット単体の前記主直線カット部の後端部から所定の角度をなして後方に延びる前記傾斜線カット部は、前記主直線カット部の後端部から、前記第１縦スリット線、前記第２縦スリット線、前記第３縦スリット線、前記第４縦スリット線、前記第ｎ縦スリット線、前記横スリット線を分離する引き裂き力が作用する側に傾斜して設けられていることを特徴とする請求項２に記載のラベルシート。
【請求項４】
前記横スリット線は全カットであることを特徴とする請求項２または３のいずれか１項に記載のラベルシート。
【発明の詳細な説明】
【技術分野】
【０００１】
本発明は、ラベル形成用シートと、ラベル形成用シートの裏面に接着されている剥離ライナーとからなり、ラベル形成用シートに形成されているラベルを剥離ライナーから剥離して使用するラベルシートに関する。
【背景技術】
【０００２】
従来、ラベル形成用シートと、ラベル形成用シートの裏面に接着されている剥離ライナーとからなる ラベルシートがある。
この種のラベルシートとして、剥離ライナーと接着しているラベル形成用シートに、複数列のラベル縦列を分離する縦列分離用スリット線と、ラベル縦列をラベル単片に分離するラベル単片分離用スリット線が形成されており、剥離ライナーには、その上下辺に繋がり、ラベル形成用シートにおける縦列分離用スリット線とラベル単片分離用スリット線によって囲まれた領域に内に掛かる縦スリット線がラベル縦列に形成されてなるラベルシートが知られている。
【０００３】
剥離ライナーに形成される縦スリット線として、直線に形成されたスリット単体を分離経路の引き裂き方向と一致するように直線状に連続させて配置し、前後のスリット単体の端部間を所定の間隔の未カット部として残した構成のものや、Ｙ字形に形成されたスリット単体を、そのＹ字形の脚を分離経路の切り裂き方向に向けて直線状に連続させて配置し、前側のスリット単体のＹ字形の二股頂部と後側のスリット単体のＹ字形の脚の端部との間を未カット部として残したもの、Ｙ字形の二股頂部の一方を除いたＹ字の形の半分の形に形成されたスリット単体を、その脚を分離経路の引き裂き方向に向けて直線状に連続させて配置し、前側のスリット単体の頂部と後側のスリット単体の脚の端部との間を未カット部として残したもの、Ｖ字形に形成されたスリット単体を、そのＶ字形の底部頂点を分離経路の引き裂き方向に向けて直線状に連続させて配置し、前側のスリット単体のＶ字形の二股頂部と後側のスリット単体のＶ字形の底部頂点との間を未カット部として残したものなどが開示されている（例えば、特許文献１，２参照。）。
【０００４】
特許文献１記載のラベルシートにおける剥離ライナーに形成される縦スリット線は、直線に形成されたスリット単体を分離経路の引き裂き方向と一致するように直線状に連続させて配置し、前後のスリット単体の端部間を所定の間隔の未カット部として残した構成となっているので、この間隔、即ち未カット部が小さいとラベルシートの使用に際に縦スリット線におけるスリット単体間の未カット部を弱い力で容易に引き裂き切断することができるが、反面、ラベルシートの印刷時に剥離ライナーとプリンターの周辺機器との摩擦や搬送ドラムによる湾曲搬送等により縦スリット線におけるスリット単体間の未カット部が簡単に切断してしまい、ラベルシートの印刷に支障を来すおそれがある。他方、未カット部の間隔が大きいと剥離ライナーとプリンターの周辺機器との摩擦や搬送ドラムによる湾曲搬送等によっても縦スリット線におけるスリット単体間の未カット部が容易に切断しないようになるが、ラベルシートの使用に際の剥離ライナーの縦スリット線の分離がその分困難になる。
【０００５】
特許文献１記載のラベルシートでは、剥離ライナーに形成されている縦スリット線の方向と縦スリット線におけるスリット単体間の未カット部を切断するための引き裂き力を作用させる方向が同じ方向なので、スリット単体の端部間の未カット部の間隔が少々大きくても比較的容易に切断でき、スリット単体の端部間の未カット部の間隔を大きくできることにより、剥離ライナーとプリンターの周辺機器との摩擦や搬送ドラムによる湾曲搬送等によっても縦スリットが容易に切断しないようにすることができる。
【０００６】
また、特許文献２記載のラベルシートにおける剥離ライナーに形成される縦スリット線は、Ｙ字形に形成されたスリット単体、Ｙ字形の二股頂部の一方を除いたＹ字の形の半分の形に形成されたスリット単体、或いはＶ字形に形成されたスリット単体を、分離経路の切り裂き方向に向けて直線状に連続させて配置し、前後のスリット単体の端部間を所定の間隔の未カット部として残した構成となっており、前後のスリット単体の端部が同一線上から外れているので、剥離ライナーとプリンターの周辺機器との摩擦や搬送ドラムによる湾曲搬送等によっても縦スリットが容易に切断されないものとなる。
【先行技術文献】
【特許文献】
【０００７】
【特許文献１】特許第３７７３５０３号公報
【特許文献２】特許第５７２３４１１号公報
【発明の概要】
【発明が解決しようとする課題】
【０００８】
上記した特許文献１記載のラベルシート及び特許文献１記載のラベルシートでは、いずれも剥離ライナーに形成されている縦スリット線におけるスリット単体間の未カット部を切断するための引き裂き力は、縦スリット線と同方向に作用させることを前提としており、縦スリット線の方向と異なる方向、例えば、ラベルシートの対角線方向に作用させて縦スリット線におけるスリット単体間の未カット部を引き裂き切断することは全く意図されていない。
したがって、剥離ライナーの縦スリット線の切断に際し、縦スリット線におけるスリット単体間の未カット部を切断するための引き裂き力の方向と縦スリット線との方向がずれた場合、後側のスリット単体の端部からの引き裂き力が前側のスリット単体の端部に効果的に伝達され難く、縦スリット線におけるスリット単体間の未カット部が切断されず、剥離ライナーが縦スリット線の途中から破けてしまうおそれがあるといった問題があった。
【０００９】
本発明者は、上記のような問題を解決するために試験研究を重ねた結果、縦スリット線の方向と縦スリット線におけるスリット単体間の未カット部を切断するための引き裂き方向が一致していない場合でも、縦スリット線におけるスリット単体間の未カット部を容易に切断でき、しかも、ラベルシートの搬送時に剥離ライナーとプリンターの周辺機器との摩擦や搬送ドラムによる湾曲搬送等により剥離ライナーに形成される縦スリット線におけるスリット単体間の未カット部が簡単に切断されないスリット単体の形状を見出し、本発明を成すに至った。
【００１０】
本発明の目的は、剥離ライナーに形成した縦スリット線におけるスリット単体間の未カット部を容易に切断でき、かつ、ラベルシートの印刷に支障を来すおそれのないラベルシートを提供することにある。
【課題を解決するための手段】
【００１１】
上記の目的を達成するために、請求項１に記載の発明は、ラベル形成用シートと、ラベル形成用シートの裏面に接着されている剥離ライナーとからなるラベルシートであって、前記ラベル形成用シートは、複数列のラベル縦列をそれぞれ分離する複数の縦列分離用スリット線と、前記ラベル縦列をラベル単片に分離するラベル単分離用スリット線が形成されており、前記剥離ライナーは、左右いずれか一側の前記ラベル縦列をラベル第１縦列としたとき、前記ラベル第１縦列におけるラベル第２縦列寄りの領域に掛かり、前記剥離ライナーを前記ラベル形成用シートのラベル縦列毎に分離する縦スリット線が形成されており、前記剥離ライナーに形成されている前記縦スリット線は、主直線カット部と、前記主直線カット部の一端側を先端部とし他端側を後端部としたとき前記主直線カット部の後端部から所定の角度をなして後方に延びる１本の傾斜線カット部と、前記主直線カット部の後端部から前記傾斜線カット部の端部を越えない範囲で前記主直線カット部と一直線状に後方に延びる従直線カット部とからなるスリット単体を分離経路線上に、前記主直線カット部を分離経路線と一致させ且つその先端部側を分離進行方向に向けて、所定間隔の未カット部を残し連続して配置して構成されていることを特徴とする。
【００１２】
請求項２に記載の発明は、ラベル形成用シートと、ラベル形成用シートの裏面に接着されている剥離ライナーとからなるラベルシートであって、前記ラベル形成用シートは、周囲に枠部を形成する枠部分離用スリット線と、前記枠部の内側に複数列のラベル縦列をそれぞれ分離する複数の縦列分離用スリット線と、前記ラベル縦列をラベル単片に分離するラベル単片分離用スリット線が形成されており、前記剥離ライナーは、左右いずれか一側の前記ラベル縦列をラベル第１縦列としたとき、前記ラベル第１縦列におけるラベル第２縦列寄りの領域に掛かり、且つ前記剥離ライナーの上辺と下辺に繋がり、前記上辺側を切り口始部とする第１縦スリット線と、前記第１縦スリット線と、前記ラベル第１縦列とラベル第２縦列とを分離する第１縦列分離用スリット線との間の領域に掛かり、且つ剥離ライナーの上辺側に未分離部を残し下辺に繋がる第２縦スリット線と、前記ラベル第２縦列におけるラベル第ｎ縦列寄りの領域に掛かり、且つ剥離ライナーの上辺側に未分離部を残し下辺に繋がる第３縦スリット線と、前記第３縦スリット線と、前記ラベル第２縦列とラベル第ｎ縦列とを分離する第ｎ縦列分離用スリット線との間の領域に掛かり、且つ剥離ライナーの上辺側に未分離部を残し下辺に繋がる第４縦スリット線と、前記ラベル第ｎ縦列における前記枠部の側辺側枠部寄りの領域に掛かり、且つ剥離ライナーの上辺側に未分離部を残し下辺に繋がる第ｎ縦スリット線と、前記第２縦スリット線と前記第３縦スリット線の上端を、前記第４縦スリット線と前記第ｎ縦スリット線の上端をそれぞれ接続する横スリット線と、が形成されており、前記ラベル形成用シートには更に、上辺と上辺側枠部分離用スリット線に繋がり上辺側枠部を分離する上辺側枠部縦分離用スリット線が前記剥離ライナーの前記第１縦スリット線の前記切り口始部と重なるように形成され、下辺と下側側枠部分離用スリット線に繋がり下辺側枠部を複数列のラベル縦列毎に分離する下辺側枠部縦分離用スリット線が形成されており、前記剥離ライナーに形成されている前記第１縦スリット線、前記第２縦スリット線、前記第３縦スリット線、前記第４縦スリット線及び前記第ｎ縦スリット線は、主直線カット部と、前記主直線カット部の一端側を先端部とし他端側を後端部としたとき前記主直線カット部の後端部から所定の角度をなして後方に延びる１本の傾斜線カット部と、前記主直線カット部の後端部から前記傾斜線カット部の端部を越えない範囲で前記主直線カット部と一直線状に後方に延びる従直線カット部とからなるスリット単体を分離経路線上に、前記主直線カット部を分離経路線と一致させ且つその先端部側を分離進行方向に向けて、所定間隔の未カット部を残し連続して配置して構成されていることを特徴とする。
【００１３】
請求項３に記載の発明は、請求項２に記載の、前記スリット単体の前記主直線カット部の後端部から所定の角度をなして後方に延びる前記傾斜線カット部は、前記主直線カット部の後端部から、前記第１縦スリット線、前記第２縦スリット線、前記第３縦スリット線、前記第４縦スリット線、前記第ｎ縦スリット線、前記横スリット線を分離する引き裂き力が作用する側に傾斜して設けられていることを特徴とする。
【００１４】
請求項４に記載の発明は、請求項２または３のいずれか１項に記載の、前記横スリット線は全カットであることを特徴とする。
【発明の効果】
【００１５】
請求項１に記載のラベルシートによれば、前記剥離ライナーに形成されている前記縦スリット線の方向と前記縦スリット線における前記スリット単体の端部間の未カット部を切断するための引き裂き力を作用させる方向が同じ方向である場合、前記縦スリット線における分離進行方向前側（以下、単に前側という。）にある前記スリット単体の前記従直線カット部の端部と分離進行方向後側（以下、単に後側という。）にある前記スリット単体の前記主直線カット部の端部の間の未カット部が切断されることにより縦スリット線が分離される。そして、前側にある前記スリット単体の前記従直線カット部の端部と後側にある前記スリット単体の前記主直線カット部の端部が同じ直線上に位置するので、前後のスリット単体の端部間の未カット部の間隔が少々大きくても比較的容易に切断できる。
【００１６】
また、後側にある前記スリット単体の前記主直線カット部の端部から派生する引き裂き力は前側にある前記スリット単体の前記傾斜線カット部と前記従直線カット部の端部の２方向で受けられることになり、前記剥離ライナーに形成されている前記縦スリット線の方向と前記縦スリット線における前記スリット単体の端部間の未カット部を切断するための引き裂き力を作用させる方向がずれた場合でも、後側にある前記スリット単体の前記主直線カット部の端部から派生する引き裂き力が前側にある前記スリット単体の前記傾斜線カット部の端部に伝達され、後側にある前記スリット単体の前記主直線カット部の端部と前側にある前記スリット単体の前記傾斜線カット部の端部との間の未カット部が切断されることにより前記縦スリット線を容易に切断することができる。
【００１７】
また、前記のように、前側にある前記スリット単体の前記従直線カット部の端部と後側にある前記スリット単体の前記主直線カット部の端部との間の未カット部を大きくできるので、ラベルシートの印刷時に前記剥離ライナーとプリンターの周辺機器との摩擦や搬送ドラムによる湾曲搬送等による前記縦スリット線の破断を防止することができる。
【００１８】
請求項２に記載のラベルシートによれば、前記剥離ライナーに形成されている第１縦スリット線の切り口始部を引き裂き切断し、この引き裂きにより前記ラベル形成用シートに形成されている前記上辺側枠部を上辺側枠部分離用スリット線に沿って分離させ、前記剥離ライナーの切り口始部における前記第２縦スリット線側の切断部位と、この切断部位と同側にある前記上辺側枠部の分離部位を共に摘まんで、前記剥離ライナー側に前記第ｎ縦スリット線側の対角線方向に向かって引くことにより、前記剥離ライナーに形成されている前記第１縦スリット線、前記第２縦スリット線、前記第３縦スリット線、前記第４縦スリット線、前記第ｎ縦スリット線、前記横スリット線が切断され、前記剥離ライナーは前記第１縦スリット線、前記第２縦スリット線、前記第３縦スリット線、前記第４縦スリット線、前記第ｎ縦スリット線、前記横スリット線に沿って分離し、前記ラベル形成用シートから前記剥離ライナーの前記第１縦スリット線と前記第２縦スリット線との間、前記第３縦スリット線と前記第４縦スリット線の間、前記第ｎ縦スリット線と前記剥離ライナーの側辺との間、及び前記横スリット線と前記剥離ライナーの上辺との間の部分を剥ぎ取ることができる。
【００１９】
同時に、前記ラベル形成用シートから枠部の上辺側枠部と前記ラベル第ｎ縦列側の側辺側枠部が、上辺側枠部分離用スリット線と側辺側枠部分離用スリット線に沿って分離し、枠部の上辺側枠部と前記ラベル第ｎ縦列側の側辺側枠部を取り除くことができる。
前記枠部の上辺側枠部と前記ラベル第ｎ縦列側の側辺側枠部が取り除かれた前記ラベル形成用シートの裏面には、ラベル第１縦列からラベル第ｎ縦列毎に前記剥離ライナー片が残り、ラベル第１縦列からラベル第ｎ縦列は、１つのラベル縦列の側縁部が隣のラベル縦列の裏面に残っている剥離ライナー片に接着した状態で一体性が保たれ、１つのラベル縦列の側縁部を隣のラベル縦列に残っている剥離ライナー片から剥がすことによりラベル第１縦列からラベル第ｎ縦列は、第１縦列分離用スリット線、第ｎ縦列分離用スリット線から分離してラベル縦列単片となる。
このラベル縦列単片から、剥離ライナー片から露出しているラベル単片の露出部分を摘まんで剥離ライナー片から剥がすことにより、ラベル単片を剥離ライナー片から剥ぎ取ることができる。
【００２０】
また、前記剥離ライナーに形成されている第１縦スリット線の切り口始部を引き裂き切断し、この引き裂きにより前記ラベル形成用シートに形成されている前記上辺側枠部を上辺側枠部分離用スリット線に沿って分離させ、前記剥離ライナーの切り口始部における前記第２縦スリット線側の切断部位と、この切断部位と同側にある前記上辺側枠部の分離部位を共に摘まんで、前記剥離ライナー側に前記第ｎ縦スリット線側の対角線方向に向かって引いたとき、前記剥離ライナーに形成される前記第１縦スリット線、前記第２縦スリット線、前記第３縦スリット線、前記第４縦スリット線及び前記第ｎ縦スリット線を構成している連続して配置された前記スリット単体のうちの、後側にある前記スリット単体の前記主直線カット部の端部から派生する引き裂き力が対角線方向に働くが、後側にある前記スリット単体の前記主直線カット部の端部から派生する引き裂き力は前側にある前記スリット単体の前記傾斜線カット部と前記従直線カット部の端部の２方向で受けられることになり、前記剥離ライナーの切り口始部の切断部位を対角線方向に向かって引いたときの角度に応じて、後側にある前記スリット単体の前記主直線カット部の端部と前側にある前記スリット単体の前記傾斜線カット部の端部間の未カット部が切断され、或いは、後側にある前記スリット単体の前記主直線カット部の端部と前側にある前記スリット単体の前記従直線カット部の端部間の未カット部が切断されることになるので、前記各スリット線を容易に且つ確実に分離することができる。
【００２１】
更には、後側にある前記スリット単体の前記主直線カット部の端部から派生する引き裂き力は前側にある前記スリット単体の前記傾斜線カット部と前記従直線カット部の端部の２方向で受けるので、前側にある前記スリット単体の前記従直線カット部の端部と後側にある前記スリット単体の前記主直線カット部の端部との間の未カット部を大きくすることができ、ラベルシートの印刷時に前記剥離ライナーとプリンターの周辺機器との摩擦や搬送ドラムによる湾曲搬送等による前記縦スリット線の切断を防止することができる。
【００２２】
請求項３に記載のラベルシートによれば、前記剥離ライナーの切り口始部における前記第２縦スリット線側の切断部位を前記剥離ライナー側に前記第ｎ縦スリット線側の対角線方向に向かって引いたとき、後側にある前記スリット単体の前記主直線カット部の端部から派生する引き裂き力が前側にある前記スリット単体の前記傾斜線カット部の端部に伝達され、後側にある前記スリット単体の前記主直線カット部の端部と前側にある前記スリット単体の前記傾斜線カット部の端部との間の未カット部が切断されるので、前記各スリット線を容易に且つ確実に分離することができる。
【００２３】
請求項４に記載のラベルシートによれば、前記横スリット線は全カットであるので、前記横スリット線の方向と、前記剥離ライナーに形成されている第１縦スリット線の切り口始部を引き裂き切断し、前記第２縦スリット線側の切断部位と前記上辺側枠部の分離部位を共に摘まんで前記剥離ライナー側に前記第ｎ縦スリット線側の対角線方向に向かって引いたときの方向とが直交に近い状態であっても、前記横スリット線を容易に且つ確実に分離することができる。
【図面の簡単な説明】
【００２４】
【図１】本発明に係るラベルシートの実施の形態の一例を示すラベル形成用シート側の平面図である。
【図２】図１に示すラベルシートの剥離ライナー側の平面図である。
【図３】図２の一部拡大図である。
【図４】図２の剥離ライナーに形成されたスリット線を示す説明図である。
【図５】図２に示す剥離ライナーからスリット線で囲まれた部分を剥ぎ取る際の初期工程を示す一部拡大説明図である。
【図６】図５に示す工程から剥離ライナーのスリット線で囲まれた部分を剥ぎ取る中間工程を示す説明図である。
【図７】剥離ライナーのスリット線で囲まれた部分を剥ぎ取ったラベルシートの剥離ライナー側（裏面側）の平面図である。
【図８】剥離ライナーのスリット線で囲まれた部分を剥ぎ取ったラベルシートを、ラベル縦列毎に分離する状態を示す説明図である。
【発明を実施するための形態】
【００２５】
以下、本発明に係るラベルシートの実施の形態の一例を図面を参照して説明する。
図１は本例のラベルシートを示すラベル形成用シート側（ラベルシートの表面側）の平面図、図２は図１に示すラベルシートの剥離ライナー側（ラベルシートの裏面側）の平面図、図３は図２の一部拡大図、図４は図２の剥離ライナーに形成されたスリット線を示す説明図、図５は図２に示す剥離ライナーからスリット線で囲まれた部分を剥ぎ取る際の初期工程を示す一部拡大説明図、図６は図５に示す工程から剥離ライナーのスリット線で囲まれた部分を剥ぎ取る中間工程を示す説明図、図７は剥離ライナーのスリット線で囲まれた部分を剥ぎ取ったラベルシートの剥離ライナー側（裏面側）の平面図、図８は剥離ライナーのスリット線で囲まれた部分を剥ぎ取ったラベルシートを、ラベル縦列毎に分離する状態を示す説明図である。
【００２６】
本例のラベルシートは、矩形状のラベル形成用シート１と剥離ライナー２とからなり、ラベル形成用シート１の裏面に粘着剤が全面に塗布されて粘着剤層（図示せず）が形成されており、この粘着剤層の全域を覆うように、ラベル形成用シート１と同サイズの剥離ライナー２が接着されて１枚のラベルシートが構成されている。
【００２７】
ラベル形成用シート１にあっては、周囲に枠部３を形成する枠部分離用スリット線４と、枠部３の内側に４つのラベル縦列５をそれぞれ分離する３本の縦列分離用スリット線６と、ラベル縦列５をラベル単片７に分離するラベル単片分離用スリット線８が形成されている。
【００２８】
剥離ライナー２にあっては、図１上最左側のラベル縦列５をラベル第１縦列５−１としたとき、ラベル第１縦列５−１におけるラベル第２縦列５−２寄りの領域に掛かり、且つ剥離ライナー２の上辺２ａと下辺２ｂに繋がり、上辺２ａ側を切り口始部９とする第１縦スリット線１０−１が形成されており、また、第１縦スリット線１０−１と、ラベル第１縦列５−１とラベル第２縦列５−２とを分離する第１縦列分離用スリット線６−１との間の領域に掛かり、且つ剥離ライナー２の上辺２ａ側に未分離部を残し下辺２ｂに繋がる第２縦スリット線１０−２が形成されており、また、ラベル第２縦列５−２におけるラベル第３縦列５−３寄りの領域に掛かり、且つ剥離ライナー２の上辺２ａ側に未分離部を残し下辺２ｂに繋がる第３縦スリット線１０−３が形成されており、また、第３縦スリット線１０−３と、ラベル第２縦列５−２とラベル第３縦列５−３とを分離する第２縦列分離用スリット線６−２との間の領域に掛かり、且つ剥離ライナー２の上辺２ａ側に未分離部を残し下辺２ｂに繋がる第４縦スリット線１０−４が形成されており、また、ラベル第３縦列５−３におけるラベル第４縦列５−４寄りの領域に掛かり、且つ剥離ライナー２の上辺２ａ側に未分離部を残し下辺２ｂに繋がる第５縦スリット線１０−５が形成されており、また、第５縦スリット線１０−５と、ラベル第３縦列５−３とラベル第４縦列５−４とを分離する第３縦列分離用スリット線６−３との間の領域に掛かり、且つ剥離ライナー２の上辺２ａ側に未分離部を残し下辺２ｂに繋がる第６縦スリット線１０−６が形成されており、また、ラベル第４縦列５−４における枠部３の側辺側枠部３ｂ寄りの領域に掛かり、且つ剥離ライナー２の上辺２ａ側に未分離部を残し下辺２ｂに繋がる第７縦スリット線１０−７が形成されており、また、第２縦スリット線１０−２と第３縦スリット線１０−３の上端を、第４縦スリット線１０−４と第５縦スリット線１０−５の上端を、第６縦スリット線１０−６と第７縦スリット線１０−７の上端をそれぞれ接続する横スリット線１１と、が形成されている。
【００２９】
また、ラベル形成用シート１には更に、上辺１ａと上辺側枠部分離用スリット線４ａに繋がり上辺側枠部３ａを分離する上辺側枠部縦分離用スリット線１２が剥離ライナー２の第１縦スリット線１０−１の前記切り口始部９と重なるように形成され、また、下辺１ｂと下辺側枠部分離用スリット線４ｂに繋がり下辺側枠部３ｃをラベル第１縦列５−１からラベル第４縦列５−４毎に分離する下辺側枠部縦分離用スリット線１３−１，１３−２，１３−３，１３−４が形成されている。
【００３０】
また、剥離ライナー２に形成されている第１縦スリット線１０−１、第２縦スリット線１０−２、第３縦スリット線１０−３、第４縦スリット線１０−４、第５縦スリット線１０−５、第６縦スリット線１０−６及び第７縦スリット線１０−７はそれぞれ、図４に示すように、主直線カット部１４ａと、主直線カット部１４ａの一端側を先端部とし他端側を後端部としたとき主直線カット部１４ａの後端部から所定の角度をなして後方に延びる１本の傾斜線カット部１４ｂと、主直線カット部１４ａの後端部から傾斜線カット部１４ｂの端部を越えない範囲で主直線カット部１４ａと一直線状に後方に延びる従直線カット部１４ｃとからなるスリット単体１４を分離経路線Ｌ上に、主直線カット部１４ａを分離経路線Ｌと一致させ且つその先端部側を分離進行方向に向けて、所定間隔の未カット部を残し連続して配置して構成されている。
【００３１】
スリット単体１４の主直線カット部１４ａの後端部から所定の角度をなして後方に延びる傾斜線カット部１４ｂは、主直線カット部１４ａの後端部から、第１縦スリット線１０−１、第２縦スリット線１０−２、第３縦スリット線１０−３、第４縦スリット線１０−４、第５縦スリット線１０−５、第６縦スリット線１０−６及び第７縦スリット線１０−７を分離する引き裂き力が作用する側に傾斜して設けられている。本例では、引き裂き力は剥離ライナー２の上辺２ａの右側から下辺２ｂの左側へ向かう対角線方向へ作用するようになっており、傾斜線カット部１４ｂは、主直線カット部１４ａの後端部から左側に所定の角度をなして後方に延びている。
【００３２】
スリット単体１４にあっては、主直線カット部１４ａの長さは４．０ｍｍ〜６．０ｍｍ、傾斜線カット部１４ｂの長さは１．０ｍｍ〜２．０ｍｍ、従直線カット部１４ｃの長さは０．４ｍｍ〜０．８ｍｍ、傾斜線カット部１４ｂと従直線カット部１４ｃの角度θは５０度〜４０度の範囲が好ましい。また、所定間隔の未カット部を残し連続して配置されるスリット単体１４にあって、未カット部となる前側のスリット単体１４の従直線カット部１４ｃの端部と後側の主直線カット部１４ａの先端部との間は０．５ｍｍ〜０．７ｍｍが好ましい。
【００３３】
このような範囲に設定すると、第１縦スリット線１０−１、第２縦スリット線１０−２、第３縦スリット線１０−３、第４縦スリット線１０−４、第５縦スリット線１０−５、第６縦スリット線１０−６及び第７縦スリット線１０−７の確実な切断と安易な破断防止の両立を良好に図ることができる。
【００３４】
また、横スリット線１１にあっては、容易に分離できることが求められ、本例では全カットとなっているが、容易に分離できるものであればこれに限られるものではなく、例えば、弱い引き裂き力で容易に切断できるミシン目で構成されていてもよい。
【００３５】
このように構成されたラベルシートは、次のようにして使用される。
先ず、剥離ライナー２に形成されている第１縦スリット線１０−１の切り口始部９を引き裂き切断するとともに、ラベル形成用シート１に形成されている上辺側枠部３ａを図１に示す上辺側枠部縦分離用スリット線１２に沿って分離させる（図５参照。）。
【００３６】
次に、剥離ライナー２の切り口始部９における第２縦スリット線１０−２側の切断部位と、この切断部位と同側にある上辺側枠部３ａの分離部位を共に摘まんで剥離ライナー２側に、剥離ライナー２の上辺２ａの右側から下辺２ｂの左側へ向かう対角線方向Ａ、すなわち、第７縦スリット線１０−７側に向かって引く（図５参照。）。
【００３７】
これにより、剥離ライナー２に形成されている第１縦スリット線１０−１、第２縦スリット線１０−２、第３縦スリット線１０−３、第４縦スリット線１０−４、第５縦スリット線１０−５、第６縦スリット線１０−６及び第７縦スリット線１０−７におけるスリット単体１４間の未カット部が切断し、剥離ライナー２は第１縦スリット線１０−１、第２縦スリット線１０−２、第３縦スリット線１０−３、第４縦スリット線１０−４、第５縦スリット線１０−５、第６縦スリット線１０−６、第７縦スリット線１０−７及び全カットの横スリット線１１に沿って分離する（図６参照。）。
【００３８】
この第１縦スリット線１０−１、第２縦スリット線１０−２、第３縦スリット線１０−３、第４縦スリット線１０−４、第５縦スリット線１０−５、第６縦スリット線１０−６及び第７縦スリット線１０−７の切断に際しては、剥離ライナー２側に第７縦スリット線側の対角線方向Ａに向かって引いたとき、第１縦スリット線１０−１、第２縦スリット線１０−２、第３縦スリット線１０−３、第４縦スリット線１０−４、第５縦スリット線１０−５、第６縦スリット線１０−６及び第７縦スリット線１０−７を構成している連続して配置されたスリット単体１４のうちの、後側にあるスリット単体１４の主直線カット部１４ａの端部から派生する引き裂き力が対角線方向Ａに働き、後側にあるスリット単体１４の主直線カット部１４ａの端部から派生する引き裂き力は前側にあるスリット単体１４の傾斜線カット部１４ｂと従直線カット部１４ｃの端部の２方向で受けられる。
【００３９】
これにより、切り口始部９の切断部位を対角線方向Ａに向かって引いたときの角度に応じて、後側にあるスリット単体１４の主直線カット部１４ａの端部と前側にあるスリット単体１４の傾斜線カット部１４ｂの端部間の未カット部が切断され、或いは、後側にあるスリット単体１４の主直線カット部１４ａの端部と前側にあるスリット単体１４の従直線カット部１４ｃの端部間の未カット部が切断されることになるので、第１縦スリット線１０−１、第２縦スリット線１０−２、第３縦スリット線１０−３、第４縦スリット線１０−４、第５縦スリット線１０−５、第６縦スリット線１０−６、第７縦スリット線１０−７及び横スリット線１１を容易に且つ確実に切断することができる。
【００４０】
このようにして、剥離ライナー２を第１縦スリット線１０−１、第２縦スリット線１０−２、第３縦スリット線１０−３、第４縦スリット線１０−４、第５縦スリット線１０−５、第６縦スリット線１０−６及び第７縦スリット線１０−７が切断し、剥離ライナー２は第１縦スリット線１０−１、第２縦スリット線１０−２、第３縦スリット線１０−３、第４縦スリット線１０−４、第５縦スリット線１０−５、第６縦スリット線１０−６、第７縦スリット線１０−７及び全カットの横スリット線１１に沿って分離させることにより、ラベル形成用シート１から剥離ライナー２の第１縦スリット線１０−１と第２縦スリット線１０−２の間、第３縦スリット線１０−３と第４縦スリット線１０−４の間、第５縦スリット線１０−５と第６縦スリット線１０−６の間、第７縦スリット線１０−７と剥離ライナー２の側辺２ｃとの間、及び横スリット線１１と剥離ライナー２の上辺２ａとの間の部分を剥ぎ取ることができる。
【００４１】
同時に、ラベル形成用シート１から枠部３の上辺側枠部３ａとラベル第７縦列１０−７側の側辺側枠部３ｂが、上辺側枠部分離用スリット線４ａと側辺側枠部分離用スリット線４ｃに沿って分離し、枠部３の上辺側枠部３ａとラベル第７縦列１０−７側の側辺側枠部３ｂを取り除くことができる。
【００４２】
ラベル形成用シート１から剥離ライナー２の第１縦スリット線１０−１と第２縦スリット線１０−２の間、第３縦スリット線１０−３と第４縦スリット線１０−４の間、第５縦スリット線１０−５と第６縦スリット線１０−６の間、第７縦スリット線１０−７と剥離ライナー２の側辺２ｃとの間、及び横スリット線１１と剥離ライナー２の上辺２ａとの間の部分を剥ぎ取り、ラベル形成用シート１から枠部３の上辺側枠部３ａとラベル第７縦列１０−７側の側辺側枠部３ｂを取り除いたラベル形成用シート１の裏面には、ラベル第１縦列５−１、ラベル第２縦列５−２、ラベル第３縦列５−３、ラベル第４縦列５−４毎に剥離ライナー片２−１が残り、ラベル第１縦列５−１、ラベル第２縦列５−２、ラベル第３縦列５−３は、側縁部が隣のラベル第２縦列５−２、ラベル第３縦列５−３、ラベル第４縦列５−４の裏面に残っている剥離ライナー片２−１に接着した状態で一体性が保たれている（図７参照。）。
【００４３】
そして、ラベル第１縦列５−１、ラベル第２縦列５−２、ラベル第３縦列５−３を隣接するラベル第２縦列５−２、ラベル第３縦列５−３、ラベル第４縦列５−４の裏面に残っている剥離ライナー片２−１から剥がすことにより、ラベル第１縦列５−１、ラベル第２縦列５−２、ラベル第３縦列５−３、ラベル第４縦列５−４は、第１縦列分離用スリット線６−１、第２縦列分離用スリット線６−２、第３縦列分離用スリット線６−３から分離してそれぞれラベル縦列単片１−１となる（図８参照。）。
【００４４】
そして、ラベル縦列単片１−１の剥離ライナー片２−１から露出しているラベル単片７の露出部分を摘まんで剥離ライナー片２−１から剥がすことにより、ラベル単片７はラベル単片分離用スリット線８から隣接するラベル単片７と分離し、剥離ライナー片２−１から剥ぎ取ることができる。
【００４５】
このように、剥離ライナー２の一度の剥離作業により、ラベル第１縦列５−１、ラベル第２縦列５−２、ラベル第３縦列５−３、ラベル第４縦列５−４をそれぞれ分離可能にすることができるので、ラベル貼り作業が短縮され作業効率の向上が図れる。
また、本例では、剥離ライナー２に形成されている、第２縦スリット線１０−２と第３縦スリット線１０−３の上端を、第４縦スリット線１０−４と第５縦スリット線１０−５の上端を、第６縦スリット線１０−６と第７縦スリット線１０−７の上端をそれぞれ接続する横スリット線１１は全カットとなっているが、カット範囲が短いので、ラベルシートの印刷時に、プリンターの周辺機器との摩擦や搬送ドラムによる湾曲搬送等によっても剥離ライナー２が横スリット線１１から分離するおそれはなく、また、ラベルシートを剥離ライナー２の下辺２ｂ側からプリンターに送り込むようにすれば、ラベルシートの印刷時におけるライナー２の横スリット線１１からの分離を確実に防止できる。
【符号の説明】
【００４６】
１  ラベル形成用シート
１ａ  上辺
１ｂ  下辺
１−１  ラベル縦列単片
２  剥離ライナー
２−１  剥離ライナー片
２ａ  上辺
２ｂ  下辺
２ｃ  側辺
３  枠部
３ａ  上辺側枠部
３ｂ  側辺側枠部
３ｃ  下辺側枠部
４  枠部分離用スリット線
４ａ  上辺側枠部分離用スリット線
４ｂ  下辺側枠部分離用スリット線
４ｃ  側辺側枠部分離用スリット線
５  ラベル縦列
５−１  ラベル第１縦列
５−２  ラベル第２縦列
５−３  ラベル第３縦列
５−４  ラベル第４縦列
６  縦列分離用スリット線
６−１  第１縦列分離用スリット線
６−２  第２縦列分離用スリット線
６−３  第３縦列分離用スリット線
７  ラベル単片
８  ラベル単片分離用スリット線
９  切り口始部
１０−１  第１縦スリット線
１０−２  第２縦スリット線
１０−３  第３縦スリット線
１０−４  第４縦スリット線
１０−５  第５縦スリット線
１０−６  第６縦スリット線
１０−７  第７縦スリット線
１１  横スリット線
１２  上辺側枠部縦分離用スリット線
１３−１，１３−２，１３−３，１３−４  下辺側枠部縦分離用スリット線
１４  スリット単体
１４ａ  主直線カット部
１４ｂ  傾斜線カット部
１４ｃ  従直線カット部
Ｌ  分離経路線
【図１】
2018105901.tif 000003
【図２】
2018105901.tif 000004
【図３】
2018105901.tif 000005
【図４】
2018105901.tif 000006
【図５】
2018105901.tif 000007
【図６】
2018105901.tif 000008
【図７】
2018105901.tif 000009
【図８】
2018105901.tif 000010